(57)【要約】【課題】  洗浄性と再汚染防止性に優れ、洗濯物に帯電防止性を付与することができ、また洗濯物を消臭することのできるドライクリーニング用洗浄剤組成物及びそれを用いたドライクリーニング方法を提供する。【解決手段】  テルペン系溶剤を５容量％以上含む溶剤を洗浄用溶剤として用いるドライクリーニングにおいて、該洗浄用溶剤に添加されるドライクリーニング用洗浄剤組成物であって、リン酸エステル化合物及びアルカノールアミンを含有するドライクリーニング用洗浄剤組成物を提供する。【選択図】  なし【特許請求の範囲】
【請求項１】
テルペン系溶剤を５容量％以上含む溶剤を洗浄用溶剤として用いるドライクリーニングにおいて、該洗浄用溶剤に添加されるドライクリーニング用洗浄剤組成物であって、下記一般式［１］で表されるリン酸エステル化合物及び下記一般式［２］で表されるアルカノールアミンを含有するドライクリーニング用洗浄剤組成物。
【化１】
2010126561.tif 000012
（一般式［１］において、Ｒ1は炭素数１〜２２のアルキル基であり、Ｒ2、Ｒ3はそれぞれ独立にヒドロキシル基又はＲ1Ｏ（Ｒ4Ｏ）n−基であり、Ｒ4は炭素数２〜４のアルキレン基であり、ｎは０〜１０の数である。）
［Ｒ5（ＯＨ）］mＮＨ3-m         ［２］
（一般式［２］において、Ｒ5は炭素数２〜５のアルキル基であり、ｍは１〜３の整数である。）
【請求項２】
前記一般式［１］で表されるリン酸エステル化合物の含有量が１〜５０質量％であり、前記一般式［２］で表されるアルカノールアミンの含有量が１〜２０質量％であることを特徴とする請求項１に記載のドライクリーニング用洗浄剤組成物。
【請求項３】
前記一般式［１］で表されるリン酸エステル化合物として、下記一般式［１ａ］で表されるリン酸エステル化合物と下記一般式［１ｂ］で表されるリン酸エステル化合物とを、質量比が１：２〜１：４となるように含有することを特徴とする請求項１又は２に記載のドライクリーニング用洗浄剤組成物。
【化２】
2010126561.tif 000013
（一般式［１ａ］において、Ｒ1は炭素数４〜１２のアルキル基であり、Ｒ2、Ｒ3はそれぞれ独立にヒドロキシル基又はＲ1Ｏ−基である。）
【化３】
2010126561.tif 000014
（一般式［１ｂ］において、Ｒ1は炭素数８〜２２のアルキル基であり、Ｒ2、Ｒ3はそれぞれ独立にヒドロキシル基又はＲ1Ｏ（Ｒ4Ｏ）n−基であり、Ｒ4は、エチレン基であり、ｎは１〜１０の数である。）
【請求項４】
さらに、アニオン界面活性剤及び非イオン界面活性剤からなる群より選ばれる少なくとも１種の化合物を含有する請求項１〜３のいずれかに記載のドライクリーニング用洗浄剤組成物。
【請求項５】
テルペン系溶剤を５容量％以上含む溶剤を洗浄用溶剤として用いるドライクリーニングにおいて、該洗浄用溶剤に請求項１〜４のいずれかに記載のドライクリーニング用洗浄剤組成物を添加するドライクリーニング方法。
【発明の詳細な説明】
【技術分野】
【０００１】
本発明は、ドライクリーニング用洗浄剤組成物及びそれを用いたドライクリーニング方法に関する。さらに詳しくは、本発明は、テルペン系溶剤を５容量％以上含む溶剤を洗浄用溶剤として用いるドライクリーニングにおいて、該洗浄用溶剤に添加して用いることができ、洗浄性と再汚染防止性に優れ、洗濯物に帯電防止性と消臭性とを付与することのできるドライクリーニング用洗浄剤組成物及びそれを用いたドライクリーニング方法に関する。
【背景技術】
【０００２】
ドライクリーニングは、非親水性の溶剤を洗浄用溶剤として用いて行う洗濯方法である。非親水性の溶剤としては、従来テトラクロロエチレン等の合成溶剤が使用されてきたが、近年は環境への負荷の問題や安全性からこれらの合成溶剤の使用が規制されつつあり、代わって、ＨＦＣ―３６５等のフッ素系溶剤、環状又は直鎖シリコーン等のシリコーン系溶剤、パラフィン、ナフテンや芳香族炭化水素等の石油系溶剤が主流となっている。さらに人体や環境への安全性が考慮され、リモネンが新たなドライクリーニング洗浄用溶剤として提案されている。
【０００３】
ところで、ドライクリーニングにおいては、通常、洗浄用溶剤に洗浄剤が添加されている。このようなドライクリーニング用洗浄剤組成物に求められる性能として、洗浄性、再汚染防止性、帯電防止性などが挙げられる。洗浄性とは洗濯物の汚れを落とすこと、再汚染防止性とは一旦落ちた汚れが洗濯物に再付着するのを防ぐこと、帯電防止性とは衣類の帯電を防ぎ、乾燥工程での引火爆発を防ぐことであり、これらの性能を同時に満たすことが求められている。また、ドライクリーニングでは、人体由来の汚れや汚物由来の汚れが洗濯物に残留するため洗濯物に異臭が残ることがあるが、近年は臭気に対する関心が非常に高く、洗濯物を消臭することが新たに求められている。
【０００４】
従来のドライクリーニング用洗浄剤組成物としては、例えば、特許文献１には、洗浄力、再汚染防止効果に優れ、安全性（すなわち乾燥工程において引火爆発の危険性の改善）の高いものとして、第四級アンモニウム塩と脂肪酸とを特定の比率で混合した洗浄剤組成物が開示されている。しかしながら、第四級アンモニウム塩のようなカチオン界面活性剤は帯電防止性には優れるものの、その強力な洗濯物への吸着性から、十分な再汚染防止性を付与することができない場合もある。そして、洗濯物の異臭の問題は解決されていない。
【０００５】
また、テルペン系溶剤に添加して用いられるドライクリーニング用洗浄剤組成物としては、例えば、特許文献２が開示されているが、洗浄性及び再汚染防止性については優れた効果を発揮するものの、帯電防止性及び洗濯物の異臭の問題については不十分であった。
【０００６】
このように、従来のドライクリーニング用洗浄剤組成物及びドライクリーニング方法では、洗浄性、再汚染防止性、帯電防止性、洗濯物の消臭の要望をすべてバランス良く満たすことが困難であった。
【特許文献１】特開平１０−１７８９１号公報
【特許文献２】特開２００６−７０１６８号公報
【発明の開示】
【発明が解決しようとする課題】
【０００７】
本発明は、テルペン系溶剤を５容量％以上含む溶剤を洗浄用溶剤として用いるドライクリーニングにおいて、該洗浄用溶剤に添加して用いることができ、洗浄性と再汚染防止性に優れ、洗濯物に帯電防止性を付与することができ、また洗濯物を消臭することのできるドライクリーニング用洗浄剤組成物及びそれを用いたドライクリーニング方法を提供する。
【課題を解決するための手段】
【０００８】
本発明者らは、上記の課題を解決すべく鋭意研究を重ねた結果、テルペン系溶剤を５容量％以上含む溶剤を洗浄用溶剤として用いるドライクリーニングにおいて、特定のリン酸エステル化合物及びアルカノールアミンを添加すると、洗浄性、再汚染防止性に優れ、洗濯物に帯電防止性を付与することができ、また洗濯物を消臭することができることを見いだし、この知見に基づいて本発明を完成するに至った。
【０００９】
すなわち、本発明は、
（１）テルペン系溶剤を５容量％以上含む溶剤を洗浄用溶剤として用いるドライクリーニングにおいて、該洗浄用溶剤に添加されるドライクリーニング用洗浄剤組成物であって、下記一般式［１］で表されるリン酸エステル化合物及び下記一般式［２］で表されるアルカノールアミンを含有するドライクリーニング用洗浄剤組成物、
【化１】
2010126561.tif 000002
（一般式［１］において、Ｒ1は炭素数１〜２２のアルキル基であり、Ｒ2、Ｒ3はそれぞれ独立にヒドロキシル基又はＲ1Ｏ（Ｒ4Ｏ）n−基であり、Ｒ4は炭素数２〜４のアルキレン基であり、ｎは０〜１０の数である。）
［Ｒ5（ＯＨ）］mＮＨ3-m         ［２］
（一般式［２］において、Ｒ5は炭素数２〜５のアルキル基であり、ｍは１〜３の整数である。）、
【００１０】
（２）前記一般式［１］で表されるリン酸エステル化合物の含有量が１〜５０質量％であり、前記一般式［２］で表されるアルカノールアミンの含有量が１〜２０質量％であるドライクリーニング用洗浄剤組成物、
【００１１】
（３）前記一般式［１］で表されるリン酸エステル化合物として、下記一般式［１ａ］で表されるリン酸エステル化合物と下記一般式［１ｂ］で表されるリン酸エステル化合物とを、質量比が１：２〜１：４となるように含有するドライクリーニング用洗浄剤組成物、
【化２】
2010126561.tif 000003
（一般式［１ａ］において、Ｒ1は炭素数４〜１２のアルキル基であり、Ｒ2、Ｒ3はそれぞれ独立にヒドロキシル基又はＲ1Ｏ−基である。）
【化３】
2010126561.tif 000004
（一般式［１ｂ］において、Ｒ1は炭素数８〜２２のアルキル基であり、Ｒ2、Ｒ3はそれぞれ独立にヒドロキシル基又はＲ1Ｏ（Ｒ4Ｏ）n−基であり、Ｒ4は、エチレン基であり、ｎは１〜１０の数である。）
【００１２】
（４）さらに、アニオン界面活性剤及び非イオン界面活性剤からなる群より選ばれる少なくとも１種の化合物を含有するドライクリーニング用洗浄剤組成物、及び、
【００１３】
（５）テルペン系溶剤を５容量％以上含む溶剤を洗浄用溶剤として用いるドライクリーニングにおいて、該洗浄用溶剤に請求項１〜３のいずれかに記載のドライクリーニング用洗浄剤組成物を添加するドライクリーニング方法、
を提供するものである。
【発明の効果】
【００１４】
本発明によれば、洗濯物の汚れの洗浄性、再汚染防止性に優れるドライクリーニングが可能となり、洗濯物に優れた帯電防止性を付与し、さらには洗濯物の消臭を行うことができる。
【発明を実施するための最良の形態】
【００１５】
本発明のドライクリーニング用洗浄剤組成物は、テルペン系溶剤を５容量％以上含む溶剤を洗浄用溶剤として用いるドライクリーニングにおいて、該洗浄用溶剤に添加されるドライクリーニング用洗浄剤組成物であって、下記一般式［１］で表されるリン酸エステル化合物及び下記一般式［２］で表されるアルカノールアミンを含有するドライクリーニング用洗浄剤組成物を含むことを特徴とする。
【化４】
2010126561.tif 000005
一般式［１］において、Ｒ1は炭素数１〜２２のアルキル基であり、Ｒ2、Ｒ3はそれぞれ独立にヒドロキシル基又はＲ1Ｏ（Ｒ4Ｏ）n−基であり、Ｒ4は炭素数２〜４のアルキレン基であり、ｎは０〜１０の数である。分子中に含まれるｎ個のＲ4はそれぞれ同一であっても異なっていてもよい。また、一般式［２］において、Ｒ5は炭素数２〜５のアルキル基であり、ｍは１〜３の整数である。
【００１６】
本発明においては、一般式［１］におけるリン酸エステル化合物により、テルペン系溶剤を５容量％以上含む溶剤を洗浄用溶剤として用いるドライクリーニングにおいて洗浄性、再汚染防止性、帯電防止性を高めることができる。
【００１７】
前記一般式［１］においては、Ｒ1は炭素数１〜２２のアルキル基である。炭素数が２３以上であると、リン酸エステル化合物の洗浄用溶剤への溶解性が悪くなり、その結果、再汚染防止性が低下する。また、ｎが１０より大きい場合は、リン酸エステル化合物の帯
電防止性が低下し、性能が不十分となる。
【００１８】
また、前記一般式［１］においては、ｎが０である場合は、Ｒ1は炭素数４〜１２のアルキル基であることが好ましい。ｎが０であり、炭素数が３以下であると洗浄用溶剤への溶解性が低下するため再汚染防止性が低下する傾向があり、一方、炭素数が１３以上となっても洗浄用溶剤への溶解性が低下するため再汚染防止性が低下する傾向がある。なお、前記一般式［１］においてｎが０であるリン酸エステル化合物は、帯電防止性及び消臭性が特に良好なものである。
【００１９】
一般式［１］において、ｎが１以上の場合は、洗浄用溶剤との相溶性の観点から、Ｒ1は炭素数８〜２２のアルキル基であることが好ましく、ｎは２〜１０であることが好ましい。そして、Ｒ4は、リン酸エステル化合物の洗浄用溶剤に対する溶解性が良好であるという点から、エチレン基であることが好ましい。なお、前記一般式［１］においてｎが１以上であるリン酸エステル化合物は、洗浄性及び再汚染防止性が特に良好なものである。
このようなリン酸エステル化合物は、１種を単独で用いることもできるし、２種以上を組み合わせて用いることもできる。
【００２０】
なお、一般式［１］で表されるリン酸エステル化合物は、モノエステル、ジエステル及びトリエステルが挙げられるが、モノエステルとジエステルの混合物として得られることがあり、モノエステルとジエステルの１：１（モル比）の混合物として用いると、洗浄用溶剤中に混入した水を可溶化する効果がそれぞれを単独で用いた場合よりも良好となり、混入した水による問題（例えば、洗濯物の収縮、型崩れ、色流れなど）を抑制することが可能となる。
【００２１】
また、一般式［１］で表されるリン酸エステル化合物において、上記のｎが０である化合物とｎが１以上である化合物とを混合して使用することにより、さらに洗浄性、再汚染防止性、帯電防止性、消臭性をバランス良く発現させることができる。
【００２２】
本発明においては、前記一般式［２］で表されるアルカノールアミンにより、テルペン系溶剤を５容量％以上含む溶剤を洗浄用溶剤として用いるドライクリーニングにおいて、洗濯物の消臭効果を高めることができる。
【００２３】
一般式［２］で表されるアルカノールアミンとしては、例えば、モノエタノールアミン、ジエタノールアミン、トリエタノールアミン、モノイソプロパノールアミン、ジイソプロパノールアミン、トリイソプロパノールアミン等のアルカノールアミンが好ましく、トリエタノールアミン、トリイソプロパノールアミンがより好ましい。
このような一般式［２］で表されるアルカノールアミンは、１種を単独で用いてもよく、２種以上を組み合わせて用いてもよい。
【００２４】
本発明のドライクリーニング用洗浄剤組成物においては、帯電防止性と洗濯物の消臭性をバランス良く発揮するために、前記一般式［１］で表されるリン酸エステル化合物の含有量が１〜５０質量％であり、前記一般式［２］で表されるアルカノールアミンの含有量が１〜２０質量％であることが好ましい。
【００２５】
一般式［１］で表されるリン酸エステル化合物の含有量が５０質量％を超える場合、及び、一般式［２］で表されるアルカノールアミンの含有量が２０質量％を超える場合は、ドライクリーニング用洗浄用組成物の洗浄用溶剤への溶解性が悪くなり、その結果、再汚染防止性が低下することがある。一方、一般式［１］で表されるリン酸エステル化合物の含有量が１質量％を未満であるとドライクリーニング用洗浄用組成物の帯電防止性が、一般式［２］で表されるアルカノールアミンの含有量が１質量％未満であると洗濯物を消臭する効果が、それぞれ低下することがある。
【００２６】
特に、一般式［１］で表されるリン酸エステル化合物において、上記のｎが０である化合物（好ましくは、上記一般式［１ａ］で表される化合物）と、ｎが１以上である化合物（好ましくは、上記一般式［１ｂ］で表される化合物）とを混合して使用する場合、ｎが０である化合物とｎが１以上である化合物とを質量比で１：２〜１：４となるように使用することにより、洗浄性、再汚染防止性、帯電防止性、消臭性をより一層向上させることができ、これらの特性をバランス良く兼ね備えたドライクリーニング用洗浄剤組成物を得ることができる。
【００２７】
本発明のドライクリーニング用洗浄剤組成物は、洗浄溶剤への水の可溶化を促進する目的で、さらに非イオン界面活性剤を含有することが好ましい。このような非イオン界面活性剤としては、特に制限はないが、下記一般式［３］で表される化合物又は一般式［４］で表される化合物を用いることが好ましい。
Ｒ6Ｏ（Ｒ7Ｏ）ｘＨ            ［３］
【００２８】
一般式［３］において、Ｒ6は炭素数８〜２２のアルキル基、アルケニル基又はアルキルアリール基であり、より好ましくは、炭素数１０〜１８のアルキル基、アルケニル基又はアルキルアリール基である。Ｒ7は炭素数２〜４のアルキレン基であり、より好ましくは炭素数２〜３のアルキレン基である。ｘは２〜１５が好ましく、より好ましくは２〜１０である。ｘ個の（Ｒ7Ｏ）で示される繰り返し単位は、単独でもよく、それぞれ異なっていてもよい。また、ｘ個の（Ｒ7Ｏ）の繰り返し単位はブロック体であってもランダム体であってもよい。
【００２９】
このような一般式［３］で表される化合物としては、例えば、ポリオキシエチレン（３モル）ドデシルエーテル、ポリオキシエチレン（４モル）ノニルフェニルエーテル、ポリオキシプロピレン（５モル）デシルエーテル、ポリオキシエチレン（１０モル）オレイルエーテル、ポリオキシエチレン（２モル）ポリオキシプロピレン（５モル）デシルエーテルなどを挙げることができる。
【００３０】
【化５】
2010126561.tif 000006
一般式［４］において、Ｒ8は炭素数８〜２２のアルキル基又はアルケニル基であり、より好ましくは、炭素数１０〜１８のアルキル基又はアルケニル基である。−Ａ＝は−ＣＯＮ＝又は−Ｎ＝である。Ｒ9及びＲ10は、それぞれ炭素数２〜４のアルキレン基であり、より好ましくは炭素数２〜３のアルキレン基である。ｙ及びｚはそれぞれ１〜１０であり、より好ましくは１〜４である。ｙ個の（Ｒ9Ｏ）で示される繰り返し単位及びｚ個の（Ｒ9Ｏ）で示される繰り返し単位は、単独でもよく、それぞれ異なっていてもよい。また、繰り返し単位はブロック体であってもランダム体であってもよい。
【００３１】
一般式［４］で表される非イオン界面活性剤としては、例えば、オクタデシルアミンプロピレンオキサイド（４モル）付加物、ヤシ脂肪酸ジエタノールアミド、オレイン酸ジエタノールアミド、ヤシ脂肪酸ジエタノールアミドのエチレンオキサイド（６モル）付加物などを挙げることができる。
このような非イオン界面活性剤は、１種を単独で用いてもよいし、２種以上を組み合わせて用いても良い。
【００３２】
また、本発明のドライクリーニング用洗浄剤組成物においては、洗浄性や再汚染防止性のさらなる性能向上のため、前記一般式［１］で表されるリン酸エステル化合物以外のアニオン界面活性剤を含有させても良い。このようなアニオン界面活性剤としては、従来ドライクリーニング用洗浄剤組成物に使用されているものを特に制限無く使用することができるが、例えば、ジアルキルスルホコハク酸塩、アルキル硫酸エステル塩等の硫酸エステル型アニオン界面活性剤、アルキルベンゼンスルホン酸塩、アルキルスルホン酸塩等のスルホン酸型アニオン界面活性剤などが挙げられる。これらのアニオン界面活性剤は１種で用いてもよく、２種以上を組み合わせて用いてもよい。
【００３３】
本発明のドライクリーニング用洗浄剤組成物において、これらの非イオン界面活性剤及びアニオン界面活性剤を含有させるときは、それぞれが５質量％以上とすることで、それぞれの化合物による性質が十分に発揮される。また、前記非イオン界面活性剤及びアニオン界面活性剤は、ドライクリーニング用洗浄剤組成物の取り扱いを容易にするための溶解助剤としての効果もあるため、含有量の上限を９８質量％とすることができる。
【００３４】
本発明のドライクリーニング用洗浄剤組成物には、溶解助剤を含有させることができる。溶解助剤としては、石油系溶剤、シリコーン系溶剤、テルペン系溶剤等の溶剤や、引火点が４０℃以上であるアルコール（例えば、メタノール、エタノール、イソプロパノール等）やグリコールエーテル（例えば、３−メチル−３−メトキシ−１−ブタノール等）が挙げられる。これらの溶解助剤は、１種を単独で使用することができ、あるいは２種以上を混合して使用することができるが、なかでも引火点が比較的高い３−メチル−３−メトキシ−１−ブタノールを好適に用いることができる。
【００３５】
本発明のドライクリーニング用洗浄剤組成物においては、必要に応じて、ベンゾトリアゾール等の防腐剤、ジブチルヒドロキシトルエン等の酸化防止剤、トリクロサン等の抗菌剤、香料等を適宜配合することができる。
本発明のドライクリーニング用洗浄剤組成物は、テルペン系溶剤を５容量％以上含む溶剤を洗浄用溶剤として用いるドライクリーニングにおいて該洗浄用溶剤に添加することができ、それによって、洗浄性及び再汚染防止性に優れ、洗濯物に帯電防止性を付与することができ、洗濯物を消臭することのできるドライクリーニングが可能となる。
【００３６】
本発明のドライクリーニング用洗浄剤組成物は、洗浄用溶剤に０．０１〜５容量％の範囲で添加して使用することができ、０．１〜３容量％の範囲で添加することがより好ましい。添加量が０．１容量％未満では十分な性能が発揮されず、３容量％を超えると洗濯物によっては風合いが柔らかくなり過ぎるケースが起こる。
【００３７】
本発明を適用できるテルペン系溶剤としては、従来公知の炭素数１０〜１３の環式モノテルペン又はその誘導体を挙げることができ、リモネンが特に好ましい。リモネンは、柑橘系植物の果皮から抽出できるため、化石資源を原料とする石油系溶剤に比べ地球温暖化を促進させることがなく、しかも、脱脂力を示すカウリブタノール値（ＫＢ値）は約６０と汎用の石油系溶剤に比べ約２〜３倍と高く溶剤自身の洗浄性が良好なうえに、抗菌性を有しているためである。このようなテルペン系溶剤の市販品としては、三菱重工産業機器(株)製、商品名：フルーツドライなどが挙げられる。
【００３８】
本発明のドライクリーニング用洗浄剤組成物を適用できる洗浄用溶剤は、テルペン系溶剤の含有量が５容量％以上であり、２０容量％以上とすることが好ましく、５０容量％以上とすることが特に好ましい。テルペン系溶剤の含有量が５％容量未満であると、洗浄用溶剤の十分にＫＢ値を上げることはできず、また、ドライクリーニング用洗浄剤組成物を添加しても洗濯物を消臭する効果が不十分となる。
【００３９】
洗浄用溶剤において、テルペン系溶剤と混合するために用いられる溶剤としては、ドライクリーニングに用いられている公知の溶剤を特に制限なく使用できるが、石油系溶剤及びシリコーン系溶剤が好ましい。
【００４０】
このような石油系溶剤としては、例えば、パラフィン、オレフィン、ナフテン、芳香族炭化水素等の、消防法の第４類第２石油類又は第４類第３石油類に該当する溶剤が望ましい。石油系溶剤の市販品としては、例えば、日石三菱(株)製、商品名：ニューソルデラックスハイソフト、ニューソルデラックス、(株)ジャパンエナジー製、商品名：ニッコーホワイト、出光興産(株)製、商品名：アイソールソフト等が挙げられる。
【００４１】
シリコーン系溶剤としては、例えば、デカメチルテトラシロキサン、デカメチルシクロペンタシロキサン等を挙げることができ、信越化学工業(株)製、商品名：ＫＦ９６Ｌ−１．５ＣＳ、東レ・ダウコーニング(株)製、商品名：シリコーンプラスα等の市販品を用いることもできる。
なお、これらリモネン系溶剤に混合する溶剤は１種を単独で又は２種以上を組み合わせて使用しても構わないが、乾燥性や臭気が少ない点でノルマルデカンの使用が好ましい。
【実施例】
【００４２】
以下に、実施例を挙げて本発明をさらに詳細に説明するが、本発明はこれらの実施例によりなんら限定されるものではない。
（１）油性汚染布の洗浄性及び再汚染防止性
容量５００ｍｌのステンレスポットを用いて、表１記載の洗浄用溶剤１００ｍｌに、ドライクリーニング用洗浄剤組成物を１容量％となるように添加して洗浄液を調製した。この洗浄液を用いて、４０番綿ブロードとウールモスリンの４ｃｍ×８ｃｍの大きさの白布と、日本油化学協会法に準じて作成した４０番綿ブロードとウールモスリンの４ｃｍ×８ｃｍの大きさの油性汚染布とを、ラウンダ・オ・メーター［大栄科学精器製作所(株)、Ｌ−２０］で、温度２０℃で１０分間洗浄した。その後、遠心脱水機［英光産業(株)、Ｈ−１２０Ａ］を用いて、１分間脱液し、６０分間風乾した。
洗浄前後の白布及び汚染布について、色彩計［(株)村上色彩技術研究所、クリーンマスターＣＭ−５３Ｄ］を用いて、５５０ｎｍにおける反射率を測定し、次式にしたがって洗浄率と再汚染率とを算出した。
洗浄率（％）＝｛（Ｓ2−Ｓ1）／（Ｗ1−Ｓ1）｝×１００
再汚染率（％）＝｛（Ｗ1−Ｗ2）／Ｗ1｝×１００
ただし、Ｓ1：洗浄前の汚染布反射率、Ｓ2：洗浄後の汚染布反射率、Ｗ1：洗浄前の白布反射率、Ｗ2：洗浄後の白布反射率である。
【００４３】
（２）帯電防止性
容量５００ｍｌのステンレスポットを用いて、表１記載の洗浄用溶剤１００ｍｌに、ドライクリーニング用洗浄剤組成物を１容量％となるように添加して処理液を調製した。ラウンダ・オ・メーター［大栄科学精器製作所(株)、Ｌ−２０］を用いて、アクリルメリヤス及びポリエステルジャージの試験布各１０ｇを、処理液で２０℃×１０分間処理した。その後、遠心脱水機［英光産業(株)、Ｈ−１２０Ａ］を用いて１分間脱液し、６０℃に保った熱風循環式乾燥機で６０分間乾燥し、取り出した直後の表面抵抗値を絶縁抵抗計［東亜電波(株)、ＳＭ−８２１０］を用いて測定した。
【００４４】
（３）消臭性の確認
以下の方法で、評価布を作成し、洗浄後の臭気に関して、５人による官能評価を行った。
［臭気に使用したもの］
アンモニア、イソ吉草酸
【００４５】
［評価布作成方法］
＜アンモニア評価布＞
アンモニア水（ＪＩＳ試薬特級、ナカライテスク株式会社）をイオン交換水にて３００倍（質量基準）に希釈し、これを、１０ｃｍ×１０ｃｍの大きさのポリエステルジャージに０．０５ｍｌ添加したものを使用した。
＜イソ吉草酸評価布＞
イソ吉草酸（ナカライ規格１級、ナカライテスク株式会社）をイオン交換水にて１,０００,０００倍（質量基準）に希釈し、これを、１０ｃｍ×１０ｃｍの大きさのポリエステルジャージに０．０５ｍｌ添加したものを使用した。
【００４６】
［洗浄方法］
容量５００ｍｌのステンレスポットを用いて、表１記載の洗浄用溶剤１００ｍｌに、洗浄剤組成物を１容量％となるように添加して処理液を調製した。
ラウンダ・オ・メーター［大栄科学精器製作所(株)、Ｌ−２０］を用いて、各試験布１枚ずつを、処理液で２０℃×１０分間洗浄した。その後、遠心脱水機［英光産業(株)、Ｈ−１２０Ａ］を用いて１分間脱液し、６０℃に保った熱風循環式乾燥機で６０分間乾燥し、取り出した。
【００４７】
［評価方法］
取り出し直後の布に残留した臭いの官能評価を５人で行い、平均値を最終評価とした。
【００４８】
［評価基準］
○  残留臭気が全くない
△  残留臭気が少しある
×  残留臭気がある（臭気が未洗浄布と同等）
【００４９】
【表１】
2010126561.tif 000007
【００５０】
実施例１
ポリオキシエチレン（３モル）ドデシルエーテルリン酸エステル３０質量部、トリエタノールアミン５質量部、ポリオキシエチレン（３モル）ドデシルエーテル１０質量部、ヤシ脂肪酸ジエタノールアミド１０質量部、及び３−メチル−３−メトキシ−１−ブタノール４５質量部を配合して、ドライクリーニング洗浄剤組成物を調製した。
表１記載の洗浄用溶剤Ａを用いて、ドライクリーニング用洗浄剤組成物の評価を行った。洗浄率は、油性汚染布の綿ブロードについて４２％、油性汚染布のウールモスリンについて７８％であり、再汚染率は、綿ブロードについて１．８％、ウールモスリンについて２．２％であり、帯電防止性は、アクリルメリヤスについて３．５×１０11Ω、ポリエステルジャージについて２．２×１０11Ωであり、消臭性は、アンモニアについて◎、イソ吉草酸について○であった。
【００５１】
実施例２
ポリオキシエチレン（３モル）ドデシルエーテルリン酸エステル３０質量部、ドデシルリン酸エステル１０質量部、ジ−２−エチルヘキシルスルホコハク酸ナトリウム５質量部、トリエタノールアミン１０質量部、トリイソプロパノールアミン５質量部、オレイン酸ジエタノールアミド５質量部、及びｄ−リモネン（三菱重工産業機器(株)、商品名：フルーツドライ、純度９９％）３５質量部を配合して、ドライクリーニング洗浄剤組成物を調製した。
表１記載の洗浄用溶剤Ａを用いて、ドライクリーニング用洗浄剤組成物の評価を行った。洗浄率は、油性汚染布の綿ブロードについて４１％、油性汚染布のウールモスリンについて７７％であり、再汚染率は、綿ブロードについて１．５％、ウールモスリンについて２．１％であり、帯電防止性は、アクリルメリヤスについて０．５×１０11Ω、ポリエステルジャージについて０．２×１０11Ωであり、消臭性は、アンモニアについて◎、イソ吉草酸について◎であった。
【００５２】
実施例３
ポリオキシエチレン（６モル）デシルエーテルリン酸エステル２０質量部、ブチルリン酸エステル５質量部、トリエタノールアミン１０質量部、ポリオキシエチレン（４モル）ノニルフェニルエーテル１０質量部、及びｄ−リモネン（三菱重工産業機器(株)、商品名：フルーツドライ、純度９９％）５５質量部を配合して、ドライクリーニング洗浄剤組成物を調製した。
表１記載の洗浄用溶剤Ａを用いて、ドライクリーニング用洗浄剤組成物の評価を行った。洗浄率は、油性汚染布の綿ブロードについて４２％、油性汚染布のウールモスリンについて７５％であり、再汚染率は、綿ブロードについて１．７％、ウールモスリンについて１．９％であり、帯電防止性は、アクリルメリヤスについて２．５×１０11Ω、ポリエステルジャージについて１．５×１０11Ωであり、消臭性は、アンモニアについて◎、イソ吉草酸について◎であった。
【００５３】
実施例４
ポリオキシエチレン（２モル）オクタデシルエーテルリン酸エステル１０質量部、トリイソプロパノールアミン５質量部、及びポリオキシエチレン（３モル）ドデシルエーテル８５質量部を配合して、ドライクリーニング洗浄剤組成物を調製した。
表１記載の洗浄用溶剤Ａを用いて、ドライクリーニング用洗浄剤組成物の評価を行った。洗浄率は、油性汚染布の綿ブロードについて４０％、油性汚染布のウールモスリンについて７５％であり、再汚染率は、綿ブロードについて１．６％、ウールモスリンについて２．４％であり、帯電防止性は、アクリルメリヤスについて５．０×１０11Ω、ポリエステルジャージについて２．０×１０11Ωであり、消臭性は、アンモニアについて◎、イソ吉草酸について◎であった。
【００５４】
実施例５
ブチルリン酸エステル５質量部、ドデシルベンゼンスルホン酸ナトリウム１０質量部、ジ−２−エチルヘキシルスルホコハク酸ナトリウム１０質量部、トリエタノールアミン５質量部、ポリオキシエチレン（３モル）ドデシルエーテル１０質量部、ポリオキシエチレン（２モル）ポリオキシプロピレン（５モル）デシルエーテル１０質量部、ヤシ脂肪酸ジエタノールアミド５質量部、オレイン酸ジエタノールアミド５質量部、ｄ−リモネン（三菱重工産業機器(株)、商品名：フルーツドライ、純度９９％）２０質量部、及び３−メチル−３−メトキシ−１−ブタノール２０質量部を配合して、ドライクリーニング洗浄剤組成物を調製した。
表１記載の洗浄用溶剤Ａを用いて、ドライクリーニング用洗浄剤組成物の評価を行った。洗浄率は、油性汚染布の綿ブロードについて４０％、油性汚染布のウールモスリンについて７６％であり、再汚染率は、綿ブロードについて１．３％、ウールモスリンについて１．８％であり、帯電防止性は、アクリルメリヤスについて１２×１０11Ω、ポリエステルジャージについて８．０×１０11Ωであり、消臭性は、アンモニアについて◎、イソ吉草酸について○であった。
【００５５】
実施例６
ポリオキシエチレン（３モル）ドデシルエーテルリン酸エステル２０質量部、ブチルリン酸エステル１０質量部、トリエタノールアミン２０質量部、及び３−メチル−３−メトキシ−１−ブタノール５０質量部を配合して、ドライクリーニング洗浄剤組成物を調製した。
表１記載の洗浄用溶剤Ａを用いて、ドライクリーニング用洗浄剤組成物の評価を行った。洗浄率は、油性汚染布の綿ブロードについて４０％、油性汚染布のウールモスリンについて７４％であり、再汚染率は、綿ブロードについて２．７％、ウールモスリンについて３．２％であり、帯電防止性は、アクリルメリヤスについて０．９×１０11Ω、ポリエステルジャージについて１．２×１０11Ωであり、消臭性は、アンモニアについて◎、イソ吉草酸について◎であった。
【００５６】
比較例１
ドデシルベンゼンスルホン酸ナトリウム２０質量部、ジ−２−エチルヘキシルスルホコハク酸ナトリウム２０質量部、ポリオキシエチレン（３モル）ドデシルエーテル２０質量部、及びｄ−リモネン（三菱重工産業機器(株)、商品名：フルーツドライ、純度９９％）４０質量部を配合して、ドライクリーニング洗浄剤組成物を調製した。
表１記載の洗浄用溶剤Ａを用いて、ドライクリーニング用洗浄剤組成物の評価を行った。洗浄率は、油性汚染布の綿ブロードについて３８％、油性汚染布のウールモスリンについて７５％であり、再汚染率は、綿ブロードについて２．２％、ウールモスリンについて２．５％であり、帯電防止性は、アクリルメリヤスについて２００×１０11Ω、ポリエステルジャージについて２００×１０11Ωであり、消臭性は、アンモニアについて○〜△、イソ吉草酸について×であった。
【００５７】
比較例２
ポリオキシエチレン（３モル）ドデシルエーテル２０質量部、ステアリルジヒドロキシエチルアンモニウムメチルサルフェート３０質量部、及びｄ−リモネン（三菱重工産業機器(株)、商品名：フルーツドライ、純度９９％）５０質量部を配合して、ドライクリーニング洗浄剤組成物を調製した。
表１記載の洗浄用溶剤Ａを用いて、ドライクリーニング用洗浄剤組成物の評価を行った。洗浄率は、油性汚染布の綿ブロードについて３９％、油性汚染布のウールモスリンについて７２％であり、再汚染率は、綿ブロードについて５．３％、ウールモスリンについて７．５％であり、帯電防止性は、アクリルメリヤスについて１．５×１０11Ω、ポリエステルジャージについて０．５×１０11Ωであり、消臭性は、アンモニアについて△〜×、イソ吉草酸について△であった。
実施例１〜６及び比較例１〜２の結果を表２に示す。
【００５８】
【表２】
2010126561.tif 000008
【００５９】
実施例７
ポリオキシエチレン（３モル）ドデシルエーテルリン酸エステル３０質量部、トリエタノールアミン５質量部、ポリオキシエチレン（３モル）ドデシルエーテル１０質量部、ヤシ脂肪酸ジエタノールアミド１０質量部、及び３−メチル−３−メトキシ−１−ブタノール４５質量部を配合して、ドライクリーニング洗浄剤組成物を調製した。
表１記載の洗浄用溶剤Ｂを用いて、ドライクリーニング用洗浄剤組成物の評価を行った。洗浄率は、油性汚染布の綿ブロードについて３７％、油性汚染布のウールモスリンについて７２％であり、再汚染率は、綿ブロードについて１．５％、ウールモスリンについて１．９％であり、帯電防止性は、アクリルメリヤスについて２．２×１０11Ω、ポリエステルジャージについて１．９×１０11Ωであり、消臭性は、アンモニアについて◎、イソ吉草酸について○であった。
【００６０】
実施例８
ポリオキシエチレン（３モル）ドデシルエーテルリン酸エステル３０質量部、ドデシルリン酸エステル１０質量部、ジ−２−エチルヘキシルスルホコハク酸ナトリウム５質量部、トリエタノールアミン１０質量部、トリイソプロパノールアミン５質量部、オレイン酸ジエタノールアミド５質量部、及びｄ−リモネン（三菱重工産業機器(株)、商品名：フルーツドライ、純度９９％）３５質量部を配合して、ドライクリーニング洗浄剤組成物を調製した。
表１記載の洗浄用溶剤Ｂを用いて、ドライクリーニング用洗浄剤組成物の評価を行った。洗浄率は、油性汚染布の綿ブロードについて３６％、油性汚染布のウールモスリンについて７２％であり、再汚染率は、綿ブロードについて１．２％、ウールモスリンについて１．７％であり、帯電防止性は、アクリルメリヤスについて０．５×１０11Ω、ポリエステルジャージについて０．４×１０11Ωであり、消臭性は、アンモニアについて◎、イソ吉草酸について◎であった。
【００６１】
実施例９
ポリオキシエチレン（６モル）デシルエーテルリン酸エステル２０質量部、ブチルリン酸エステル５質量部、トリエタノールアミン１０質量部、ポリオキシエチレン（４モル）ノニルフェニルエーテル１０質量部、及びｄ−リモネン（三菱重工産業機器(株)、商品名：フルーツドライ、純度９９％）５５質量部を配合して、ドライクリーニング洗浄剤組成物を調製した。
表１記載の洗浄用溶剤Ｂを用いて、ドライクリーニング用洗浄剤組成物の評価を行った。洗浄率は、油性汚染布の綿ブロードについて３８％、油性汚染布のウールモスリンについて７０％であり、再汚染率は、綿ブロードについて１．５％、ウールモスリンについて１．７％であり、帯電防止性は、アクリルメリヤスについて３．２×１０11Ω、ポリエステルジャージについて２．２×１０11Ωであり、消臭性は、アンモニアについて◎、イソ吉草酸について◎であった。
【００６２】
実施例１０
ポリオキシエチレン（２モル）オクタデシルエーテルリン酸エステル１０質量部、トリイソプロパノールアミン５質量部、及びポリオキシエチレン（３モル）ドデシルエーテル８５質量部を配合して、ドライクリーニング洗浄剤を調製した。
表１記載の洗浄用溶剤Ｂを用いて、ドライクリーニング用洗浄剤組成物の評価を行った。洗浄率は、油性汚染布の綿ブロードについて３５％、油性汚染布のウールモスリンについて７０％であり、再汚染率は、綿ブロードについて１．６％、ウールモスリンについて２．２％であり、帯電防止性は、アクリルメリヤスについて４．２×１０11Ω、ポリエステルジャージについて２．８×１０11Ωであり、消臭性は、アンモニアについて◎、イソ吉草酸について○であった。
【００６３】
実施例１１
ブチルリン酸エステル５質量部、ドデシルベンゼンスルホン酸ナトリウム１０質量部、ジ−２−エチルヘキシルスルホコハク酸ナトリウム１０質量部、トリエタノールアミン５質量部、ポリオキシエチレン（３モル）ドデシルエーテル１０質量部、ポリオキシエチレン（２モル）ポリオキシプロピレン（５モル）デシルエーテル１０質量部、ヤシ脂肪酸ジエタノールアミド５質量部、オレイン酸ジエタノールアミド５質量部、ｄ−リモネン（三菱重工産業機器(株)、商品名：フルーツドライ、純度９９％）２０質量部、及びシリコーン系溶剤（東レ・ダウコーニング(株)製、商品名：ＫＦ９６Ｌ−１．５ＣＳ）２０質量部を配合して、ドライクリーニング洗浄剤組成物を調製した。
表１記載の洗浄用溶剤Ｂを用いて、ドライクリーニング用洗浄剤組成物の評価を行った。洗浄率は、油性汚染布の綿ブロードについて３６％、油性汚染布のウールモスリンについて７１％であり、再汚染率は、綿ブロードについて１．３％、ウールモスリンについて１．６％であり、帯電防止性は、アクリルメリヤスについて１５×１０11Ω、ポリエステルジャージについて１０×１０11Ωであり、消臭性は、アンモニアについて○、イソ吉草酸について○であった。
【００６４】
実施例１２
ポリオキシエチレン（３モル）ドデシルエーテルリン酸エステル２０質量部、ブチルリン酸エステル１０質量部、トリエタノールアミン２０質量部、及び３−メチル−３−メトキシ−１−ブタノール５０質量部を配合して、ドライクリーニング洗浄剤組成物を調製した。
表１記載の洗浄用溶剤Ｂを用いて、ドライクリーニング用洗浄剤組成物の評価を行った。洗浄率は、油性汚染布の綿ブロードについて３６％、油性汚染布のウールモスリンについて７０％であり、再汚染率は、綿ブロードについて２．３％、ウールモスリンについて２．９％であり、帯電防止性は、アクリルメリヤスについて１．１×１０11Ω、ポリエステルジャージについて１．５×１０11Ωであり、消臭性は、アンモニアについて◎、イソ吉草酸について◎であった。
【００６５】
比較例３
ドデシルベンゼンスルホン酸ナトリウム２０質量部、ジ−２−エチルヘキシルスルホコハク酸ナトリウム２０質量部、ポリオキシエチレン（３モル）ドデシルエーテル２０質量部、及びｄ−リモネン（三菱重工産業機器(株)、商品名：フルーツドライ、純度９９％）４０質量部を配合して、ドライクリーニング洗浄剤組成物を調製した。
表１記載の洗浄用溶剤Ｂを用いて、ドライクリーニング用洗浄剤組成物の評価を行った。洗浄率は、油性汚染布の綿ブロードについて３５％、油性汚染布のウールモスリンについて７０％であり、再汚染率は、綿ブロードについて１．８％、ウールモスリンについて２．１％であり、帯電防止性は、アクリルメリヤスについて２００×１０11Ω、ポリエステルジャージについて２００×１０11Ωであり、消臭性は、アンモニアについて△、イソ吉草酸について×であった。
【００６６】
比較例４
ポリオキシエチレン（３モル）ドデシルエーテル２０質量部、ステアリルジヒドロキシエチルアンモニウムメチルサルフェート３０質量部、及びｄ−リモネン（三菱重工産業機器(株)、商品名：フルーツドライ、純度９９％）５０質量部を配合して、ドライクリーニング洗浄剤組成物を調製した。
表１記載の洗浄用溶剤Ｂを用いて、ドライクリーニング用洗浄剤組成物の評価を行った。洗浄率は、油性汚染布の綿ブロードについて３５％、油性汚染布のウールモスリンについて６８％であり、再汚染率は、綿ブロードについて４．８％、ウールモスリンについて７．３％であり、帯電防止性は、アクリルメリヤスについて１．９×１０11Ω、ポリエステルジャージについて０．５×１０11Ωであり、消臭性は、アンモニアについて△〜×、イソ吉草酸について△であった。
実施例７〜１２及び比較例３〜４の結果を表３に示す。
【００６７】
【表３】
2010126561.tif 000009
【００６８】
実施例１３
ポリオキシエチレン（３モル）ドデシルエーテルリン酸エステル３０質量部、トリエタノールアミン５質量部、ポリオキシエチレン（３モル）ドデシルエーテル１０質量部、ヤシ脂肪酸ジエタノールアミド１０質量部、及び３−メチル−３−メトキシ−１−ブタノール４５質量部を配合して、ドライクリーニング洗浄剤組成物を調製した。
表１記載の洗浄用溶剤Ｃを用いて、ドライクリーニング用洗浄剤組成物の評価を行った。洗浄率は、油性汚染布の綿ブロードについて３２％、油性汚染布のウールモスリンについて６５％であり、再汚染率は、綿ブロードについて０．９％、ウールモスリンについて２．１％であり、帯電防止性は、アクリルメリヤスについて３．９×１０11Ω、ポリエステルジャージについて３．５×１０11Ωであり、消臭性は、アンモニアについて◎、イソ吉草酸について○であった。
【００６９】
実施例１４
ポリオキシエチレン（３モル）ドデシルエーテルリン酸エステル３０質量部、ドデシルリン酸エステル１０質量部、ジ−２−エチルヘキシルスルホコハク酸ナトリウム５質量部、トリエタノールアミン１０質量部、トリイソプロパノールアミン５質量部、オレイン酸ジエタノールアミド５質量部、及びノルマルデカン（(株)ジャパンエナジー(株)、商品名：ニッコーホワイト）３５質量部を配合して、ドライクリーニング洗浄剤組成物を調製した。
表１記載の洗浄用溶剤Ｃを用いて、ドライクリーニング用洗浄剤組成物の評価を行った。洗浄率は、油性汚染布の綿ブロードについて３３％、油性汚染布のウールモスリンについて６７％であり、再汚染率は、綿ブロードについて０．８％、ウールモスリンについて１．９％であり、帯電防止性は、アクリルメリヤスについて０．８×１０11Ω、ポリエステルジャージについて１．５×１０11Ωであり、消臭性は、アンモニアについて◎、イソ吉草酸について◎であった。
【００７０】
実施例１５
ポリオキシエチレン（６モル）デシルエーテルリン酸エステル２０質量部、ブチルリン酸エステル５質量部、トリエタノールアミン１０質量部、ポリオキシエチレン（４モル）ノニルフェニルエーテル１０質量部、ｄ−リモネン（三菱重工産業機器(株)、商品名：フルーツドライ、純度９９％）１０質量部、ノルマルデカン（(株)ジャパンエナジー、商品名：ニッコーホワイト）４０質量部、及び３−メチル−３−メトキシ−１−ブタノール５質量部を配合して、ドライクリーニング洗浄組成物を調製した。
表１記載の洗浄用溶剤Ｃを用いて、ドライクリーニング用洗浄剤組成物の評価を行った。洗浄率は、油性汚染布の綿ブロードについて３５％、油性汚染布のウールモスリンについて６５％であり、再汚染率は、綿ブロードについて１．１％、ウールモスリンについて１．５％であり、帯電防止性は、アクリルメリヤスについて３．５×１０11Ω、ポリエステルジャージについて２．１×１０11Ωであり、消臭性は、アンモニアについて◎、イソ吉草酸について◎であった。
【００７１】
実施例１６
ポリオキシエチレン（２モル）オクタデシルエーテルリン酸エステル１０質量部、トリイソプロパノールアミン５質量部、及びポリオキシエチレン（３モル）ドデシルエーテル８５質量部を配合して、ドライクリーニング洗浄剤組成物を調製した。
表１記載の洗浄用溶剤Ｃを用いて、ドライクリーニング用洗浄剤組成物の評価を行った。洗浄率は、油性汚染布の綿ブロードについて３１％、油性汚染布のウールモスリンについて６７％であり、再汚染率は、綿ブロードについて１．２％、ウールモスリンについて２．１％であり、帯電防止性は、アクリルメリヤスについて７．１×１０11Ω、ポリエステルジャージについて５．４×１０11Ωであり、消臭性は、アンモニアについて◎、イソ吉草酸について○であった。
【００７２】
実施例１７
ブチルリン酸エステル５質量部、ドデシルベンゼンスルホン酸ナトリウム１０質量部、ジ−２−エチルヘキシルスルホコハク酸ナトリウム１０質量部、トリエタノールアミン５質量部、ポリオキシエチレン（３モル）ドデシルエーテル１０質量部、ポリオキシエチレン（２モル）ポリオキシプロピレン（５モル）デシルエーテル１０質量部、ヤシ脂肪酸ジエタノールアミド５質量部、オレイン酸ジエタノールアミド５質量部、ｄ−リモネン（三菱重工産業機器(株)、商品名：フルーツドライ、純度９９％）２０質量部、及び３−メチル−３−メトキシ−１−ブタノール２０質量部を配合して、ドライクリーニング洗浄剤組成物を調製した。
表１記載の洗浄用溶剤Ｃを用いて、ドライクリーニング用洗浄剤組成物の評価を行った。洗浄率は、油性汚染布の綿ブロードについて３０％、油性汚染布のウールモスリンについて６６％であり、再汚染率は、綿ブロードについて０．７％、ウールモスリンについて１．５％であり、帯電防止性は、アクリルメリヤスについて２１×１０11Ω、ポリエステルジャージについて１１×１０11Ωであり、消臭性は、アンモニアについて○、イソ吉草酸について○であった。
【００７３】
実施例１８
ポリオキシエチレン（３モル）ドデシルエーテルリン酸エステル２０質量部、ブチルリン酸エステル１０質量部、トリエタノールアミン２０質量部、及び３−メチル−３−メトキシ−１−ブタノール５０質量部を配合して、ドライクリーニング洗浄剤組成物を調製した。
表１記載の洗浄用溶剤Ｃを用いて、ドライクリーニング用洗浄剤組成物の評価を行った。洗浄率は、油性汚染布の綿ブロードについて３１％、油性汚染布のウールモスリンについて６５％であり、再汚染率は、綿ブロードについて１．７％、ウールモスリンについて２．８％であり、帯電防止性は、アクリルメリヤスについて１．０×１０11Ω、ポリエステルジャージについて２．１×１０11Ωであり、消臭性は、アンモニアについて◎、イソ吉草酸について◎であった。
【００７４】
比較例５
ドデシルベンゼンスルホン酸ナトリウム２０質量部、ジ−２−エチルヘキシルスルホコハク酸ナトリウム２０質量部、ポリオキシエチレン（３モル）ドデシルエーテル２０質量部、及びｄ−リモネン（三菱重工産業機器(株)、商品名：フルーツドライ、純度９９％）４０質量部を配合して、ドライクリーニング洗浄剤組成物を調製した。
表１記載の洗浄用溶剤Ｃを用いて、ドライクリーニング用洗浄剤組成物の評価を行った。洗浄率は、油性汚染布の綿ブロードについて３１％、油性汚染布のウールモスリンについて６５％であり、再汚染率は、綿ブロードについて１．１％、ウールモスリンについて２．２％であり、帯電防止性は、アクリルメリヤスについて２００×１０11Ω、ポリエステルジャージについて２００×１０11Ωであり、消臭性は、アンモニアについて△、イソ吉草酸について×であった。
【００７５】
比較例６
ポリオキシエチレン（３モル）ドデシルエーテル２０質量部、ステアリルジヒドロキシエチルアンモニウムメチルサルフェート３０質量部、及びｄ−リモネン（三菱重工産業機器(株)、商品名：フルーツドライ、純度９９％）５０質量部を配合して、ドライクリーニング洗浄剤組成物を調製した。
表１記載の洗浄用溶剤Ｃを用いて、ドライクリーニング用洗浄剤組成物の評価を行った。洗浄率は、油性汚染布の綿ブロードについて３０％、油性汚染布のウールモスリンについて６４％であり、再汚染率は、綿ブロードについて４．２％、ウールモスリンについて６．２％であり、帯電防止性は、アクリルメリヤスについて２．５×１０11Ω、ポリエステルジャージについて１．５×１０11Ωであり、消臭性は、アンモニアについて△、イソ吉草酸について△であった。
実施例１３〜１８及び比較例５〜６の結果を表４に示す。
【００７６】
【表４】
2010126561.tif 000010
【００７７】
実施例１９
ポリオキシエチレン（３モル）ドデシルエーテルリン酸エステル３０質量部、トリエタノールアミン５質量部、ポリオキシエチレン（３モル）ドデシルエーテル５質量部、ヤシ脂肪酸ジエタノールアミド１０質量部、及び３−メチル−３−メトキシ−１−ブタノール５０質量部を配合して、ドライクリーニング洗浄剤組成物を調製した。
表１記載の洗浄用溶剤Ａを用いて、ドライクリーニング用洗浄剤組成物の評価を行った。洗浄率は、油性汚染布の綿ブロードについて４２％、油性汚染布のウールモスリンについて７９％であり、再汚染率は、綿ブロードについて１．７％、ウールモスリンについて２．１％であり、帯電防止性は、アクリルメリヤスについて３．８×１０11Ω、ポリエステルジャージについて２．５×１０11Ωであり、消臭性は、アンモニアについて◎、イソ吉草酸について○であった。
【００７８】
実施例２０
実施例１９において、表１記載の洗浄用溶剤Ａの代わりに、ドライクリーニング用洗浄溶剤Ｂを用いた以外は、実施例１９と同様にして評価した。洗浄率は、油性汚染布の綿ブロードについて３８％、油性汚染布のウールモスリンについて７３％であり、再汚染率は、綿ブロードについて１．４％、ウールモスリンについて１．９％であり、帯電防止性は、アクリルメリヤスについて２．４×１０11Ω、ポリエステルジャージについて２．１×１０11Ωであり、消臭性は、アンモニアについて◎、イソ吉草酸について○であった。
【００７９】
実施例２１
実施例１９において、表１記載の洗浄用溶剤Ａの代わりに、ドライクリーニング用洗浄溶剤Ｃを用いた以外は、実施例１９と同様にして評価した。洗浄率は、油性汚染布の綿ブロードについて３２％、油性汚染布のウールモスリンについて６４％であり、再汚染率は、綿ブロードについて０．９％、ウールモスリンについて１．９％であり、帯電防止性は、アクリルメリヤスについて３．９×１０11Ω、ポリエステルジャージについて３．７×１０11Ωであり、消臭性は、アンモニアについて◎、イソ吉草酸について○であった。
【００８０】
比較例７
実施例１９において、表１記載の洗浄用溶剤Ａの代わりに、ドライクリーニング用洗浄溶剤Ｄを用いた以外は、実施例１９と同様にして評価した。洗浄率は、油性汚染布の綿ブロードについて２７％、油性汚染布のウールモスリンについて６０％であり、再汚染率は、綿ブロードについて１．１％、ウールモスリンについて２．１％であり、帯電防止性は、アクリルメリヤスについて５．２×１０11Ω、ポリエステルジャージについて４．５×１０11Ωであり、消臭性は、アンモニアについて○〜△、イソ吉草酸について△であった。
実施例１９〜２１及び比較例７の結果を表５に示す。
【００８１】
【表５】
2010126561.tif 000011
【００８２】
洗浄用溶剤として、テルペン系溶剤を５容量％以上含む洗浄溶剤を用いたドライクリーニングにおいて、一般式［１］で表されるリン酸エステル化合物と一般式［２］で表されるアルカノールアミンとを含有する本発明のドライクリーニング用洗浄剤組成物を添加した実施例１〜１８では、いずれも、洗浄性、再汚染防止性、帯電防止性、消臭性に優れる。これに対して、比較例１、３、５の従来のアニオン界面活性剤及び非イオン界面活性剤からなるドライクリーニング用洗浄剤は、帯電防止性に劣り、消臭性が低い。比較例２、４、６の従来のカチオン界面活性剤及び非イオン界面活性剤からなるドライクリーニング用洗浄剤は、再汚染防止性に劣り、消臭性が低い。また、ドライクリーニング用洗浄剤組成物の組成が同じであっても、テルペン系溶剤を含まない洗浄用溶剤を用いた場合（比較例７）は、実施例１９〜２１と比較して消臭性が劣っている。
【産業上の利用可能性】
【００８３】
本発明のドライクリーニング用洗浄剤組成物は、テルペン系溶剤を５容量％以上含む溶剤を洗浄用溶剤として用いるドライクリーニングにおいて、該洗浄用溶剤に添加して用いることができ、それによって、洗浄性と再汚染防止性に優れ、洗濯物に帯電防止性と消臭性とを付与することのできるドライクリーニングが可能となる。